(57)【要約】【課題】製造作業の作業性の向上と照明範囲の拡大を図ること。【解決手段】客席誘導灯１は、光源ユニット２と支持部１０と器体４とを備える。光源ユニット２は、客席周辺の通路の床面を照明する。支持部１０は、光源ユニット２を支持する。器体４は、光源ユニット２及び支持部１０を収容する。器体４は、支持部１０が一表面４１００に固定される基部４１と、光源ユニット２から放射される光が通過する開口部４２０を有して基部４１に取り付けられるカバー４２とを有する。光源ユニット２は、ＬＥＤ２００と、ＬＥＤ２００が実装される実装基板２０１とを有する。支持部１０は、実装基板２０１を基部４１の一表面４１００から離れるほど床面から離れるように傾斜させて、光源ユニット２を支持する。【選択図】図１
2018160351.tif 000002
【特許請求の範囲】
【請求項１】
客席に設置される客席誘導灯であって、
前記客席周辺の通路の床面を照明する光源ユニットと、
前記光源ユニットを支持する支持部と、
前記光源ユニット及び前記支持部を収容する器体と
を備え、
前記器体は、
前記支持部が一表面に固定される基部と、
前記光源ユニットから放射される光が通過する開口部を有して前記基部に取り付けられるカバーと
を有し、
前記光源ユニットは、固体光源と、前記固体光源が実装される実装基板とを有し、
前記支持部は、前記実装基板を前記基部の前記一表面から離れるほど前記床面から離れるように傾斜させて、前記光源ユニットを支持する
ことを特徴とする客席誘導灯。
【請求項２】
外部電源と電気的に接続される端子台と、
前記端子台を介して前記外部電源から供給される電力により前記光源ユニットを点灯する電源装置と、
前記端子台を前記基部に取り付ける取付部材と
を更に備え、
前記取付部材は、その少なくとも一部が前記支持部として機能するように構成されている
ことを特徴とする請求項１に記載の客席誘導灯。
【請求項３】
前記光源ユニットと前記端子台とは、前記床面から離れる方向に沿って互いに隣り合うように配置され、
前記取付部材は、前記支持部として、前記光源ユニットと前記端子台との間に、前記基部の前記一表面に対して傾斜した傾斜板を有し、
前記光源ユニットは、前記傾斜板の一面に固定されている
ことを特徴とする請求項２に記載の客席誘導灯。
【請求項４】
非常時に前記光源ユニットを点灯するための電力を供給する非常用電源と、
操作入力を受け付けるための押釦スイッチ及び表示用の光を発する表示素子のうち少なくとも１つを有した機能部と
を更に備え、
前記器体は、
前記床面から離れる第１方向に沿って互いに隣り合うように前記光源ユニット及び前記端子台を収容する第１収容部と、
前記機能部を収容する第２収容部と
前記非常用電源を収容する第３収容部と、
を有し、
前記第２収容部及び前記第３収容部は、前記基部の前記一表面に直交する第２方向に沿って見たときに、前記第１方向及び前記第２方向に直交する第３方向における前記第１収容部の両側に、それぞれ配置されている
ことを特徴とする請求項２又は請求項３に記載の客席誘導灯。
【請求項５】
前記カバーは、前記床面と対向する端面を有し、
前記端面は、第１面と、前記第１面よりも前記器体の内側に配置される第２面と、を少なくとも含み、
前記第２面は、前記基部の前記一表面に対して前記第１面とは異なる角度で傾斜し、
前記開口部は、前記第２面に配置されている
ことを特徴とする請求項１〜４のいずれか１項に記載の客席誘導灯。
【請求項６】
前記第２面と前記固体光源が実装される前記実装基板の一面とは、互いに平行である
ことを特徴とする請求項５に記載の客席誘導灯。
【請求項７】
前記固体光源は、表面実装型のパッケージを有し、
前記パッケージが、前記実装基板に実装されている
ことを特徴とする請求項１〜６のいずれか１項に記載の客席誘導灯。
【発明の詳細な説明】
【技術分野】
【０００１】
本発明は、一般に客席誘導灯に関し、より詳細には、床面を照明するための客席誘導灯に関する。
【背景技術】
【０００２】
従来例として、特許文献１記載の客席誘導灯を例示する。この従来例は、ケースと、ケース内に配置される金属板製のベースと、回路部品を実装したプリント基板と、ＬＥＤユニットと、電池とを備えている。ＬＥＤユニットは、光源としての複数のＬＥＤ（Light Emitting Diode）がプリント基板上に実装されることで構成されている。
【０００３】
この客席誘導灯は、例えば客席となる椅子の脚部フレームの脇に設置されて、通常時は商用電源でＬＥＤユニットのＬＥＤを発光し、停電時（非常時）はケース内の電池でＬＥＤを発光して通路の所要の照明範囲（床面）を照明する。
【先行技術文献】
【特許文献】
【０００４】
【特許文献１】特開２００５−５１９５号公報
【発明の概要】
【発明が解決しようとする課題】
【０００５】
ところで、この種の客席誘導灯は、通路の幅方向に対してより広い範囲まで所定の照度を確保できるように更なる改善が望まれる。上述した従来例に記載される客席誘導灯では、所謂、砲弾型のＬＥＤが複数設けられており、各砲弾型のＬＥＤは、その光軸が傾斜するように、プリント基板に対して斜めに実装されている。しかし、各ＬＥＤを予め決められた角度で傾斜するように調整して実装することは容易ではないという問題があった。
【０００６】
本発明は上記事由に鑑みてなされ、製造作業の作業性の向上と照明範囲の拡大を図ることができる客席誘導灯を提供することを目的とする。
【課題を解決するための手段】
【０００７】
本発明の一態様に係る客席誘導灯は、客席に設置される。前記客席誘導灯は、光源ユニットと支持部と器体とを備える。前記光源ユニットは、前記客席周辺の通路の床面を照明する。前記支持部は、前記光源ユニットを支持する。前記器体は、前記光源ユニット及び前記支持部を収容する。前記器体は、前記支持部が一表面に固定される基部と、前記光源ユニットから放射される光が通過する開口部を有して前記基部に取り付けられるカバーとを有する。前記光源ユニットは、固体光源と、前記固体光源が実装される実装基板とを有する。前記支持部は、前記実装基板を前記基部の前記一表面から離れるほど前記床面から離れるように傾斜させて、前記光源ユニットを支持する。
【発明の効果】
【０００８】
本発明は、製造作業の作業性の向上と照明範囲の拡大を図ることができる、という利点がある。
【図面の簡単な説明】
【０００９】
【図１】図１は、本発明の一実施形態に係る客席誘導灯の分解斜視図である。
【図２】図２は、同上の客席誘導灯におけるカバーが取り外された状態の平面図である。
【図３】図３は、同上の客席誘導灯の概略ブロック図である。
【図４】図４は、同上の客席誘導灯における要部の部分断面図である。
【図５】図５は、同上の客席誘導灯、及び当該客席誘導灯が設置される座席の斜視図である。
【発明を実施するための形態】
【００１０】
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１１】
本実施形態の客席誘導灯１は、例えば映画館又は劇場などにおける客席に設置される誘導灯器具である。客席誘導灯１は、客席周辺の通路の床面に対して避難上有効な照度を与えるように構成されている。本実施形態の客席誘導灯１は、例えば図５に示すように、映画館内の通路１００に面した座席１０１の側壁部１０２に設置され、床面１０３を照明するように構成されている。ただし、客席誘導灯１は、座席１０１以外にも、通路に面した周辺物（壁など）に設置されてもよい。要するに、ここで言う「客席」とは、座席だけではなく周辺物も含む。
【００１２】
客席誘導灯１は、光源ユニット２と支持部１０（一例として取付部材３の傾斜板３２）と器体４とを備えている。光源ユニット２は、映画館（造営物）内における通路１００の床面１０３を照明する。支持部１０は、光源ユニット２を支持する。器体４は、光源ユニット２及び支持部１０を収容する。
【００１３】
器体４は、支持部１０が一表面４１００に固定される基部４１と、基部４１に取り付けられるカバー４２とを有している。カバー４２は、光源ユニット２から放射される光が通過する開口部４２０を有している。光源ユニット２は、ＬＥＤ（Light Emitting Diode）２００（固体光源）と、ＬＥＤ２００が実装される実装基板２０１とを有している。支持部１０は、実装基板２０１を基部４１の一表面４１００から離れるほど床面１０３から離れるように傾斜させて、光源ユニット２を支持する。
【００１４】
この構成では、支持部１０は、ＬＥＤ２００が実装される実装基板２０１を傾斜させて光源ユニット２を支持する。したがって、特許文献１に記載の（複数のＬＥＤを備える）従来例とは違って、光源自体を実装基板に対して傾斜させるといった調整が不要である。よって、製造作業の作業性の向上を図ることができる。また、実装基板２０１が床面１０３に対して傾斜しているため、ＬＥＤ２００の光軸Ａ１（図４参照）が床面１０３に対して傾斜することになる。したがって、光軸Ａ１が床面１０３に対して垂直となる場合に比べて、通路１００の幅方向における照明範囲の拡大を図ることができる。
【００１５】
（２）詳細
（２．１）全体構成
以下、本実施形態の客席誘導灯１について、図１〜図５を参照して詳しく説明する。以下では、特に断りの無い限り、客席誘導灯１の上下、左右、前後の方向を、図１及び図５に図示されている上下、左右、前後の矢印を用いて規定して説明する。つまり、一例として、客席誘導灯１が映画館内の通路１００に面した座席１０１の側壁部１０２に設置された状態を基準として説明する。なお、本実施形態では、通路１００の床面１０３は、一例として、水平な面であるが、特に限定されるものではなく、坂になった通路の床面又は段差のある通路の床面であってもよい。水平な床面であっても坂になった通路の床面であっても、本実施形態で言う「床面から離れる方向」とは「鉛直上方向」に相当する。
【００１６】
客席誘導灯１は、「（１）概要」の欄で説明したように、光源ユニット２と器体４とを備えている。また、客席誘導灯１は、電源装置５と端子台６と取付部材３と非常用電源７と機能部８とを備えている。なお、本実施形態では、「（１）概要」の欄で説明した支持部１０は、取付部材３の一部（後述する傾斜板３２）によって構成されている。
【００１７】
光源ユニット２、電源装置５、端子台６、取付部材３、非常用電源７及び機能部８は、全て器体４内に収容される。以下では、器体４よりも先に、光源ユニット２、電源装置５、端子台６、取付部材３、非常用電源７及び機能部８について順に説明する。
【００１８】
（２．２）光源ユニット
光源ユニット２は、図１及び図４に示すように、ＬＥＤモジュール２０とケース２１とを有している。ＬＥＤモジュール２０は、少なくとも１個のＬＥＤ２００（固体光源）と、略矩形平板状の実装基板２０１とを有している。ＬＥＤ２００は、ＬＥＤチップと当該ＬＥＤチップを収容する表面実装型のパッケージ２０２とを有しており、実装基板２０１の一面の中央に実装されている。ＬＥＤチップは、例えば、青色光を放射する青色発光ダイオードである。ＬＥＤチップは、パッケージ２０２内において、ＬＥＤチップから放射される青色光を波長変換する蛍光物質が混入された封止樹脂で被われている。パッケージ２０２の底面の端縁において、ＬＥＤチップのアノードとカソードとにそれぞれ電気的に接続されている２つの電極が設けられている。これらの電極は、実装基板２０１に形成されている配線導体（例えば銅はく）に半田により接続されて、実装基板２０１の左端に突出して設けられている端子部２０３（エッジ・コネクタ）に電気的に接続されている。
【００１９】
ケース２１は、ＬＥＤモジュール２０を収容可能に構成され、さらに、ＬＥＤモジュール２０の端子部２０３をコネクタ２２に接続可能に構成されている。具体的には、図１に示すように、ケース２１は、本体２１０と蓋体２１１と接続ブロック２１２と固定部２１３とを有している。
【００２０】
本体２１０は、例えば合成樹脂材料によって、全体として一面が開口した扁平な矩形箱状に形成されている。本体２１０は、その内部にＬＥＤモジュール２０のＬＥＤ２００及び実装基板２０１を収容している。また、本体２１０は、その左側壁において、ＬＥＤモジュール２０の端子部２０３が本体２１０の外部に露出するように、端子部２０３が挿通可能な矩形状の貫通孔を有している。貫通孔は、本体２１０の左側壁をその厚み方向に貫通している。
【００２１】
蓋体２１１は、アクリル樹脂又はポリカーボネート樹脂などの透光性を有する合成樹脂材料によって、本体２１０と対向する一面が開口した扁平な矩形箱状に形成されている。本体２１０は、互いに対向する上側壁と下側壁の各々に、内側へ突出した爪部を有している。一方、蓋体２１１は、互いに対向する上側壁と下側壁の各々に、溝部を有している。蓋体２１１は、各爪部が対応する溝部にそれぞれ引っ掛けられることによって、本体２１０に取り付けられている。
【００２２】
接続ブロック２１２は、本体２１０と一体となって形成されている。接続ブロック２１２は、左面が開口した矩形箱状に形成されている。接続ブロック２１２は、本体２１０の左端において、本体２１０の貫通孔を通じて外部に露出しているＬＥＤモジュール２０の端子部２０３の周囲を囲むように構成されている。コネクタ２２は、接続ブロック２１２の開口した左面から差し込まれることで、接続ブロック２１２と機械的に接続されるように構成されている。また、コネクタ２２は、その先端にＬＥＤモジュール２０の端子部２０３が挿入可能なスロットを有している。コネクタ２２は、接続ブロック２１２に接続されると同時に、ＬＥＤモジュール２０の端子部２０３がスロットに挿入されて、ＬＥＤモジュール２０とコネクタ２２との電気的接続が達成される。なお、コネクタ２２は、電線１１を通じて電源装置５側の出力コネクタ５３に接続されている。
【００２３】
固定部２１３は、本体２１０と一体となって形成されている。固定部２１３は、本体２１０の右端において、ＬＥＤモジュール２０から離れる方向に突出して設けられている。固定部２１３は、その厚み方向に貫通して、ねじ２１４が挿通されるねじ孔を有している。この厚み方向は、ＬＥＤ２００の光軸Ａ１（図４参照）と平行である。ケース２１は、固定部２１３のねじ孔に挿通されたねじ２１４を介して、後述する取付部材３の傾斜板３２にねじ止めされている。なお、固定部２１３は、光軸Ａ１の方向において、本体２１０の背面よりも僅かに突出している（図２及び図４参照）。また、接続ブロック２１２も、光軸Ａ１の方向において、本体２１０の背面よりも僅かに突出した突出部位２１２０（図２参照）を有している。要するに、本体２１０と傾斜板３２との間に隙間２３（図４参照）を形成するために、固定部２１３及び接続ブロック２１２の突出部位２１２０が傾斜板３２と接触し、本体２１０は傾斜板３２と接触していない。このように隙間２３を設けることで、ＬＥＤ２００から発せられた熱を効率良く逃がすことができる。
【００２４】
（２．３）電源装置
電源装置５は、例えばプリント配線板に電子部品が実装されて構成された電源回路と、電源回路を収容するケース５０（図１及び図２参照）とを有している。なお、図１では、図面の簡略化のために電線１１等の配線が図示されていない。したがって、以下では、主に配線が図示されている図２及び図３を参照しながら電源装置５の説明をする。
【００２５】
電源回路は、例えばＡＣ／ＤＣコンバータを含み、常用電源（例えば商用の交流電源９）から端子台６を介して第１入力コネクタ５１及び第２入力コネクタ５２に入力される交流電力（例えば実効値１００［Ｖ］）を直流電力に変換するように構成されている。ここでは、交流電源９が外部電源に相当する。電源回路は、変換された直流電力を、出力コネクタ５３から電線１１（図２及び図３参照）を通じて光源ユニット２に供給し、ＬＥＤ２００を点灯するように構成されている。
【００２６】
第１入力コネクタ５１及び第２入力コネクタ５２は、図２に示すように、ケース５０の下部における右端付近において露出している。第１入力コネクタ５１は、中性線Ｎ１（白相）と電圧線Ｌ１（黒相）とを介して端子台６に電気的に接続され、第２入力コネクタ５２は、電圧線Ｌ２（赤相）を介して端子台６に電気的に接続されている（図２及び図３参照）。出力コネクタ５３は、ケース５０の下部における左端付近において露出している。
【００２７】
また電源回路は、充電回路、スイッチ回路と、非常用点灯回路、停電検出回路、及び制御回路を含んでいる。充電回路は、交流電源９の非停電時において、コネクタ５４に接続されている電線１２（図２及び図３参照）を通して一定の充電電流を、非常用電源７に出力するように構成されている。非常用点灯回路は、交流電源９の停電時（非常時）において、非常用電源７から供給される直流電流を定電流化して、出力コネクタ５３から電線１１を通じて光源ユニット２に供給するように構成されている。停電検出回路は、電源回路の出力電圧から交流電源９の停電を検出して制御回路に通知するように構成されている。スイッチ回路は、例えばスイッチを有し、スイッチがオフのときは、ＡＣ／ＤＣコンバータからの給電が行われ、スイッチがオンのときは、非常用点灯回路からの給電に切り替わるように構成されている。
【００２８】
制御回路は、停電検出回路が交流電源９の停電を検出していないとき、充電回路を動作させ、かつ、スイッチ回路のスイッチをオフにしている。また、制御回路は、停電検出回路が交流電源９の停電を検出しているとき、充電回路を停止させ、かつ、スイッチ回路のスイッチをオンに切り替える。すなわち、停電時には、光源ユニット２に対して、非常用点灯回路からの給電が行われる。
【００２９】
図２の図示例では、電線１２の先端にあるレセプタクルコネクタ１２０は、非常用電源７側の電線１３の先端にあるプラグコネクタ１３０と接続されていない。しかし、実際の使用形態においては、レセプタクルコネクタ１２０は、プラグコネクタ１３０に接続されることになる。
【００３０】
制御回路は、コネクタ５４に接続されている（複数の電線が束ねられた）ケーブル１４（図２及び図３参照）を通して機能部８の第１点検スイッチ８１１及び第２点検スイッチ８１２の操作状態（オン及びオフ）を監視するように構成されている。また、制御回路は、ケーブル１４を通じて第１表示素子８０１と第２表示素子８０２とに電流を流すことで各素子を個別に発光させるように構成されている。なお、第１点検スイッチ８１１及び第２点検スイッチ８１２、第１表示素子８０１及び第２表示素子８０２については、「（２．６）機能部」の欄で詳しく説明する。
【００３１】
ところで、図３に図示されている遠隔操作スイッチＳＷ１は、客席誘導灯１が設置されている映画館内の例えば操作盤等に設けられている。遠隔操作スイッチＳＷ１のオン及びオフ操作により、映画館内に設置されている複数の客席誘導灯１の全て（又は特定の区画に配置されている客席誘導灯１）を遠隔的に点灯及び消灯することが可能となっている。例えば、映画の上映中は、遠隔操作スイッチＳＷ１をオフにして客席誘導灯１を消灯することが可能である。
【００３２】
（２．４）端子台及び取付部材
端子台６は、おおむね直方体の外形を有している。端子台６は、器体４内において、後述する器体４の基部４１における電源孔４１０Ｄ（図２参照）と対向するように配置されている。特に、本実施形態では、器体４内に収容された光源ユニット２と端子台６とは、客席誘導灯１が座席１０１に設置された状態において、床面１０３から離れる方向（鉛直上方向）に沿って互いに隣り合うように配置されている。交流電源９に接続されている電源線は、電源孔４１０Ｄを通じて器体４内に引き込まれ、端子台６の後面側に接続されている。
【００３３】
端子台６は、取付部材３によって器体４の基部４１に取り付けられている。取付部材３は、例えば１枚の細長い矩形の金属板に対して折り曲げ加工等を施すことによって、左右方向に沿って見たとき、略Ｕ字形状となるように形成されている。端子台６は、このＵ字形状となっている取付部材３に囲まれるように取り付けられている。取付部材３は、図１に示すように、天板３１と、天板３１の下端から後方へ延びる傾斜板３２と、天板３１の上端から後方へ延びる側板３３とを有している。
【００３４】
天板３１は、その後面が端子台６の前面と接触する部位である。天板３１は、前後方向に沿って見たときに略Ｌ字板状に形成されている。天板３１は、その表面が前後方向に直交するように配置されている。天板３１は、端子台６の前面から突出する一対のボス６０，６０がそれぞれ挿通される孔部を有している（図２参照）。また、天板３１は、ねじ６１が挿通される貫通孔を有している（図２参照）。端子台６は、一対のボス６０，６０が天板３１の孔部にそれぞれ挿通されることで、取付部材３に対する位置決めが成される。端子台６は、この位置決めされた状態で、ねじ６１を天板３１の貫通孔に挿通して端子台６の前面に設けられているねじ穴にねじ込むことで、天板３１の後面側に固定される。
【００３５】
傾斜板３２は、略矩形板状に形成されている。本実施形態では、傾斜板３２が、支持部１０として機能するように構成されている。すなわち、傾斜板３２（支持部１０）は、客席誘導灯１が座席１０１に設置された状態において、実装基板２０１を基部４１の一表面４１００から離れるほど床面１０３から離れるように傾斜させて、光源ユニット２を支持する。本実施形態では、傾斜板３２自身が、光源ユニット２と端子台６との間において、基部４１の一表面４１００から離れるほど床面１０３から離れるように傾斜している。傾斜板３２は、その厚み方向に貫通する孔部と、同じく厚み方向に貫通する矩形状の溝部を有している。光源ユニット２は、接続ブロック２１２の突出部位２１２０の先端に設けられた引っ掛け爪を、傾斜板３２の溝部に引っ掛けることで、傾斜板３２に対する位置決めが成される。光源ユニット２は、この位置決めされた状態で、固定部２１３のねじ孔に挿通されたねじ２１４を傾斜板３２の孔部に通してナット等で締め付けることで、傾斜板３２の一面３２１（下面）に固定されている。
【００３６】
傾斜板３２は、その後端において、上下方向に沿うように折り曲げられた第１固定片３２０を有している。第１固定片３２０は、前後方向に沿って見たときに、左右方向に長尺の矩形板状に形成されている。第１固定片３２０は、その厚み方向に貫通する孔を有し、器体４の基部４１（の底板４１０）にねじ止めされている。
【００３７】
このように、傾斜板３２（支持部１０）は、ＬＥＤ２００が実装される実装基板２０１を傾斜させて光源ユニット２を支持する。したがって、特許文献１に記載の（複数のＬＥＤを備える）従来例とは違って、光源自体を実装基板に対して傾斜させるといった調整が不要である。よって、製造作業の作業性の向上を図ることができる。また、実装基板２０１が床面１０３に対して傾斜しているため、ＬＥＤ２００の光軸Ａ１も床面１０３に対して傾斜することになる。したがって、光軸Ａ１が床面１０３に対して垂直となる場合に比べて、通路１００の幅方向における照明範囲の拡大を図ることができる。
【００３８】
側板３３は、略矩形板状に形成されている。側板３３は、その後端において、上下方向に沿うように折り曲げられた第２固定片３３０を有している。第２固定片３３０は、前後方向に沿って見たときに、左右方向に長尺の矩形板状に形成されている。第２固定片３３０は、その厚み方向に貫通する孔を有し、器体４の基部４１（の底板４１０）にねじ止めされている。要するに、取付部材３は、天板３１で端子台６を支持した状態で、傾斜板３２の第１固定片３２０と側板３３の第２固定片３３０とを介して器体４の基部４１（の底板４１０）にねじ止めされることで、器体４に取り付けられている。
【００３９】
（２．５）非常用電源
非常用電源７は、例えば乾電池型の複数の蓄電池と、これら複数の蓄電池を収容する合成樹脂材料製のケース７０（図１及び図２参照）とを有している。ケース７０は、扁平な矩形箱状に形成されていて、先端にプラグコネクタ１３０を有した電線１３がケース７０の外に引き出されている。プラグコネクタ１３０が電源装置５側の電線１２のレセプタクルコネクタ１２０に接続されることで、非常用電源７は、非停電には蓄電池を充電するための充電電流を電源装置５から受け、停電時には蓄電池の放電電流を電源装置５に供給することが可能となる。
【００４０】
（２．６）機能部
機能部８は、例えば、プリント配線板とプリント配線板を収容するケースボディ８００（図１参照）とを有している。また、機能部８は、プリント配線板に実装された、第１表示素子８０１、第２表示素子８０２、第１点検スイッチ８１１及び第２点検スイッチ８１２などを有している（図３参照）。更に、機能部８は、第１点検スイッチ８１１及び第２点検スイッチ８１２を、それぞれ押操作するための第１操作部材８２１及び第２操作部材８２２（図２参照）を有している。
【００４１】
ケースボディ８００は、例えば難燃性を有する合成樹脂材料によって、略直方体の箱状に形成されている。ケースボディ８００は、その前壁において、第１表示素子８０１及び第２表示素子８０２とそれぞれ一対一に対向して配置された第１窓孔８３１及び第２窓孔８３２（図２参照）を有している。第１窓孔８３１及び第２窓孔８３２は、ケースボディ８００の前壁をその厚み方向に貫通していて、第１表示素子８０１及び第２表示素子８０２から放射された光を放出する。第１窓孔８３１及び第２窓孔８３２は、ケースボディ８００の前壁の下部において、左右方向に沿って並んでいる。
【００４２】
更に、ケースボディ８００は、その前壁において、第１操作部材８２１と対向して配置された第１操作孔８３３（図２参照）と、第２操作部材８２２の頭部（前端部）をケースボディ８００の外に露出する第２操作孔８３４（図２参照）とを有している。第１操作孔８３３及び第２操作孔８３４は、ケースボディ８００の前壁をその厚み方向に貫通している。第１操作孔８３３は、ケースボディ８００の前壁における上下方向及び左右方向の中心よりもやや左下に配置されている。第２操作孔８３４は、ケースボディ８００の前壁における上記中心よりもやや右上に配置されている。なお、ケースボディ８００は、その後壁において、プリント配線板に実装された端子ブロック８０３（図２参照）を露出するための孔を有しており、電源装置５のコネクタ５４から配線されているケーブル１４が端子ブロック８０３に接続されている。
【００４３】
第１表示素子８０１は、充電モニタ用の表示素子であり、例えば緑色光を放射するＬＥＤチップを有している。第１表示素子８０１は、電源装置５の充電回路が動作中のとき、電源装置５の制御回路の制御下で点灯する。要するに、第１表示素子８０１は、電源装置５が正常に動作している場合、非停電時に点灯し、停電時に消灯している。
【００４４】
第２表示素子８０２は、光源ユニット２のＬＥＤ２００の寿命を報知するための表示素子であり、例えば赤色光を放射するＬＥＤチップを有している。ここで、電源装置５は、例えばＬＥＤ２００の累積点灯時間を計時するためのタイマを有している。電源装置５に設けられているリセットボタン５５（図２参照）が押操作される度に、タイマの計時がリセットされて、新たな計時が開始される。具体的には、客席誘導灯１を施工する施工者（又は古くなったＬＥＤ２００を新しいＬＥＤ２００に交換する交換作業者）が、施工時（又は交換時）にリセットボタン５５を押操作することで、タイマの計時がリセットされて新たな計時が開始される。そして、タイマが所定の時間（例えば６万時間）を計時すると、電源装置５の制御回路は、ＬＥＤ２００の寿命を報知するために、第２表示素子８０２を点灯させる。
【００４５】
第１点検スイッチ８１１及び第２点検スイッチ８１２は、いずれも押釦スイッチである。第１点検スイッチ８１１は、例えばドライバー等の工具の先端で第１操作部材８２１が後方に押し込まれることでオンする。なお、第１操作部材８２１は、人の指によって操作されることを前提としていないため、第１操作孔８３３は、人の指が入らない程度に小さく形成されている。第２点検スイッチ８１２は、例えば人の指によって第２操作部材８２２が後方に押し込まれることでオンする。第２操作部材８２２は、人の指によって操作されることを前提としているため、第２操作孔８３４を通じてケースボディ８００の外に露出し、更には、機能部８を覆っているカバー４２の外にも露出している。
【００４６】
ところで、本実施形態では、電源装置５の制御回路は、第１点検スイッチ８１１がオンされると、自己点検動作（第１の点検動作）を行うように構成されている。自己点検動作とは、充電回路を停止させ、かつ、スイッチ回路のスイッチをオンにして所定の時間（例えば３０分又は６０分）非常用点灯回路を動作させた後、再度、充電回路を動作させ、かつ、スイッチ回路のスイッチをオフすることを意味する。点検作業を専門業務としている点検作業者は、定期的な点検作業を行う場合、通常、第２点検スイッチ８１２ではなく第１点検スイッチ８１１に対応した第１操作部材８２１を工具の先端で押操作する。
【００４７】
一方、電源装置５の制御回路は、第２点検スイッチ８１２がオンされると、自己点検動作（第１の点検動作）とは異なる別の点検動作（第２の点検動作）を行うように構成されている。第２の点検動作とは、第２点検スイッチ８１２がオン状態の間、充電回路を停止させ、かつ、スイッチ回路のスイッチをオンにして非常用点灯回路を動作させることを意味する。そして、第２点検スイッチ８１２がオフ状態になると、制御回路は、充電回路を動作させ、かつ、スイッチ回路のスイッチをオフにする。点検作業を専門業務としていない者が点検作業を行う場合、通常、第２点検スイッチ８１２に対応した第２操作部材８２２の頭部を指で押操作する。
【００４８】
（２．７）器体
（２．７．１）器体の全体構成
器体４は、光源ユニット２を収容するように構成されている。本実施形態では、器体４は、さらに、電源装置５と端子台６と取付部材３と非常用電源７と機能部８とを収容するように構成されている。器体４は、基部４１とカバー４２とを有している。
【００４９】
（２．７．２）器体の基部
基部４１は、例えば１枚の金属板に対して折り曲げ加工等を施すことによって、前面が開放された矩形箱状に形成されている。具体的には、基部４１は、底板４１０と左側板４１１と右側板４１２と上側板４１３とを有している。また、基部４１は、取付片４１４と第１位置決め片４１５と第２位置決め片４１６と第３位置決め片４１７とを有している。
【００５０】
底板４１０は、図２に示すように、全体としておおむね矩形板状に形成されている。また、底板４１０は、一対の長孔４１０Ａ，４１０Ｂと長孔４１０Ｃとを有している（図２参照）。これらの長孔４１０Ａ〜４１０Ｃは、器体４を座席１０１の側壁部１０２（図５）に固定するために用いられる固定具（ボルト等）を挿通する孔である。一対の長孔４１０Ａ，４１０Ｂ及び長孔４１０Ｃは、底板４１０をその厚み方向（前後方向）に貫通している。一対の長孔４１０Ａ，４１０Ｂは、それらの長手方向が上下方向に沿うように、左右方向に対して互いに隣接して並んでいる。一対の長孔４１０Ａ，４１０Ｂは、底板４１０の上下方向及び左右方向の中心に対してやや左下の位置に配置されている。長孔４１０Ｃは、その長手方向が左右方向に沿うように、底板４１０の上下方向及び左右方向の中心に対してやや右下の位置に配置されている。
【００５１】
また、底板４１０は、左右方向における、一対の長孔４１０Ａ，４１０Ｂと長孔４１０Ｃとの間の領域に、矩形状の電源孔４１０Ｄを有している（図２参照）。電源孔４１０Ｄは、底板４１０をその厚み方向（前後方向）に貫通している。電源孔４１０Ｄは、底板４１０を前後方向に沿って見たときに、端子台６と重なるように配置されている。言い換えれば、端子台６は、電源孔４１０Ｄを塞ぐように、電源孔４１０Ｄの前方に配置されている。交流電源９に接続されている電源線は、電源孔４１０Ｄを通じて器体４内に引き込まれ、電源孔４１０Ｄの前方にある端子台６に接続される。
【００５２】
左側板４１１は、底板４１０の左端から前方へ立ち上るように形成されている。左側板４１１は、左右方向に沿って見たときに、上下方向に延びる細長い矩形板状となっている。ただし、底板４１０は、図２に示すように、その左端の下部において、ＬＥＤモジュール２０側に近づく方向に窪んだ窪み４１０１を有している。そのため、基部４１を前後方向に沿って見たときに、左側板４１１の下端は、底板４１０の（左下の）窪み４１０１の左右方向に沿って延びる縁部の左端まで形成されている。
【００５３】
取付片４１４は、底板４１０の窪み４１０１の左右方向に沿って延びる縁部から前方へ立ち上るように形成されている。取付片４１４は、機能部８を取付けるための部位であって、上下方向に沿って見たときに矩形板状に形成されている。機能部８のケースボディ８００は、取付片４１４の下面の上端付近においてねじ止め等によって固定されている。つまり、機能部８は、上下方向に沿って見たときに、底板４１０から所定の距離を空けて配置されている（図１参照）。そのため、電源装置５のコネクタ５４から延びるケーブル１４は、無理な応力を受けることなく曲げられて機能部８の後側に回り込み、機能部８の端子ブロック８０３に接続されている（図２参照）。また、電源装置５の出力コネクタ５３から延びる電線１１は、無理な応力を受けることなく取付片４１４を迂回するように曲げられて機能部８の後側を通り、先端のコネクタ２２が光源ユニット２の接続ブロック２１２に接続されている。要するに、機能部８の後側には、ケーブル１４及び電線１１が配線されるための配線スペースが形成されている。
【００５４】
ここで、基部４１を左右方向に沿って見たときに、左側板４１１が機能部８と重ならないように寸法関係が規定されている。要するに、カバー４２が基部４１から取り外されている状態で機能部８を左方向から見ると、機能部８は、左側板４１１によって覆われていない。したがって、機能部８を取付片４１４に対して取付ける又は取外す際に、左側板４１１が作業の邪魔になり難く、作業性に優れている。
【００５５】
第１位置決め片４１５は、底板４１０の下端から前方へ立ち上るように形成されている。第１位置決め片４１５は、上下方向に沿って見たときに、左右方向に延びる細長い矩形板状となっている。第１位置決め片４１５は、取付部材３の上下方向に対する位置決めを行うように構成されている。第１位置決め片４１５は、取付部材３の第１固定片３２０の下端と接触している。
【００５６】
第１位置決め片４１５の前後方向に対する寸法は、第１位置決め片４１５がＬＥＤモジュール２０を覆わないように、例えば、左側板４１１の前後方向に対する寸法よりも十分に小さく寸法関係が規定されている。本実施形態では、第１位置決め片４１５は、その前端が、傾斜して配置されているＬＥＤモジュール２０の蓋体２１１よりも下になるように構成されている（図４参照）。
【００５７】
上述の通り、底板４１０は、その左端の下部において窪み４１０１を有しているため、基部４１を前後方向に沿って見たときに、第１位置決め片４１５の左端は、窪み４１０１の上下方向に沿って延びる縁部の下端まで形成されている。また、底板４１０は、図２に示すように、その右端の下部において、非常用電源７側に近づく方向に窪んだ窪み４１０２を有している。そのため、基部４１を前後方向に沿って見たときに、第１位置決め片４１５の右端は、（右下の）窪み４１０２の上下方向に沿って延びる縁部の下端まで形成されている。
【００５８】
第２位置決め片４１６は、底板４１０の窪み４１０２の左右方向に沿って延びる縁部から前方へ立ち上り、さらに先端が底板４１０と平行になるように内側に折り曲げられて形成されている。その結果、第２位置決め片４１６は、左右方向に沿って見たときに、略Ｌ字板状となっている。第２位置決め片４１６は、非常用電源７の上下方向に対する位置決めを行うように構成されている。第２位置決め片４１６は、非常用電源７の下側壁と接触している。
【００５９】
右側板４１２は、底板４１０の右端から前方へ立ち上るように形成されている。右側板４１２は、左右方向に沿って見たときに、上下方向に延びる細長い矩形板状となっている。ただし、底板４１０は、図２に示すように、その右端の上部において、電源装置５側に近づく方向に窪んだ窪み４１０３を有している。そのため、基部４１を前後方向に沿って見たときに、右側板４１２の上端は、（右上の）窪み４１０３の左右方向に沿って延びる縁部の右端まで形成されている。
【００６０】
ここで、底板４１０は、長孔４１０Ｃより下の領域において、右側板４１２と対向するように切り起こされた対向片４１８を有している（図２参照）。対向片４１８は、左右方向に沿って見たときに、上下方向に延びる矩形板状となっている。対向片４１８は、非常用電源７の左右方向に対する位置決めを行うように構成されている。要するに、非常用電源７は、第２位置決め片４１６と対向片４１８と底板４１０と右側板４１２とによって囲まれた空間内に収容される。
【００６１】
なお、右側板４１２は、左右方向に沿って見たときに、その上端の左半分に切り欠き加工が施されていて、非常用電源７の右側面の前半分を露出するように構成されている。その結果、非常用電源７を第２位置決め片４１６と対向片４１８と底板４１０と右側板４１２とによって囲まれた空間内に収容する際に、右側板４１２が作業の邪魔になり難く、作業性に優れている。
【００６２】
第３位置決め片４１７は、（右上の）窪み４１０３の上下方向に沿って延びる縁部から前方へ立ち上るように形成されている。第３位置決め片４１７は、上下方向に沿って延びる細長い矩形板状となっている。第３位置決め片４１７は、電源装置５の左右方向に対する位置決めを行うように構成されている。第３位置決め片４１７は、電源装置５の右側壁と接触している（図２参照）。
【００６３】
上側板４１３は、底板４１０の上端から前方へ立ち上るように形成されている。上側板４１３は、左右方向に沿って延びる細長い矩形板状となっている。ただし、上側板４１３は、図２に示すように、底板４１０の上端の左寄りの部位には形成されていない。すなわち、基部４１は、基部４１を上から見たときに、電源装置５のコネクタ５４に接続されている電線１２とケーブル１４とが露出するように構成されている。したがって、結線作業の際に、上側板４１３が作業の邪魔になり難くい。なお、上側板４１３と第３位置決め片４１７とによって、基部４１に対する電源装置５の位置決めが安定的に行われる。
【００６４】
左側板４１１及び右側板４１２は、図１に示すように、カバー４２を基部４１に固定するための固定ねじ４４，４４が、それぞれねじ込まれるねじ孔４１１０，４１２０を有している。一対のねじ孔４１１０，４１２０は、互いに対向するように配置されている。また、図２に示すように、基部４１を前後方向に沿って見たときに、一対のねじ孔４１１０，４１２０を結ぶ線分は、上下方向における底板４１０の中央位置よりもやや下を通るように寸法関係が規定されている。
【００６５】
（２．７．３）器体のカバー
カバー４２は、例えば難燃性を有する合成樹脂材料によって、後面が開口された略矩形箱状に形成されている。カバー４２は、基部４１の前面を覆うように取り付けられている。カバー４２は、光源ユニット２から放射される光が通過する開口部４２０を有している。具体的には、カバー４２は、前壁４２１、下壁４２２、右壁４２３、上壁４２４及び左壁４２５によって構成されていて、開口部４２０は、下壁４２２に設けられている。
【００６６】
前壁４２１は、矩形板状に形成されている。前壁４２１は、その前面の左下の領域において、当該前面の他の周辺領域よりも後方へ僅かに凹んだ凹所４２１０を有している（図１参照）。凹所４２１０は、前後方向に沿って見たときに、矩形状に形成されていて、器体４内に収容される機能部８の矩形状の前面とおおむね重なるように配置されている。前壁４２１は、その凹所４２１０の底面において、前壁４２１の厚み方向に貫通した４つの貫通孔を有している。以下、４つの貫通孔を、それぞれ、第１貫通孔４２１Ａ、第２貫通孔４２１Ｂ、第３貫通孔４２１Ｃ及び第４貫通孔４２１Ｄとよぶ。
【００６７】
第１貫通孔４２１Ａは、凹所４２１０の底面の上下方向及び左右方向の中心よりもやや左下に配置されている。第１貫通孔４２１Ａは、前後方向において機能部８の第１操作部材８２１と対向している。第２貫通孔４２１Ｂは、凹所４２１０の底面の上記中心よりもやや右上に配置されている。第２貫通孔４２１Ｂは、機能部８の第２操作部材８２２の頭部（前端部）を前壁４２１よりも外側に露出する。
【００６８】
第３貫通孔４２１Ｃ及び第４貫通孔４２１Ｄは、凹所４２１０の底面の下部において、左右方向に沿って互いに並ぶように配置されている。第３貫通孔４２１Ｃは、前後方向において機能部８の第１表示素子８０１と対向している。第４貫通孔４２１Ｄは、前後方向において機能部８の第２表示素子８０２と対向している。
【００６９】
下壁４２２は、前壁４２１の下端から基部４１の底板４１０に向かって立ち上がるように形成されている。下壁４２２は、上下方向に沿って見たときに略台形の板状となっている。下壁４２２は、客席誘導灯１が座席１０１に設置された状態において、床面１０３と対向する端面４２２０を有している。端面４２２０は、第１面４２２１と、第１面４２２１よりも器体４の内側に配置される第２面４２２２と、を少なくとも含んでいる（図１参照）。第１面４２２１は、平坦な面であり、端面４２２０の大半を占める面である。また、第２面４２２２は、平坦な面であり、端面４２２０の左右方向における中央に配置されている面である。言い換えると、第１面４２２１は、上下方向に沿って見たときに、第２面４２２２の周囲を略Ｕ字状に取り囲むように配置されている。
【００７０】
第１面４２２１は、基部４１の一表面４１００に対して僅かに傾斜している。具体的には、第１面４２２１は、その後端からその前端に向かうほど床面１０３から離れるように僅かに傾斜している。また、第２面４２２２も、基部４１の一表面４１００に対して傾斜している。具体的には、第２面４２２２は、その後端からその前端に向かうほど床面１０３から離れるように傾斜している。ただし、第２面４２２２は、第１面４２２１とは異なる角度で傾斜している。例えば、図４に示すように、一表面４１００に対する第１面４２２１の傾斜角度をθ１で表し、一表面４１００に対する第２面４２２２の傾斜角度をθ２で表すと、９０＞θ１＞θ２［°］という条件を見たすように傾斜角度が設定されている。要するに、本実施形態では、傾斜角度の異なる第２面４２２２を形成するために、端面４２２０の中央領域を器体４の内側に向かって僅かに凹ませている。
【００７１】
本実施形態においては、光源ユニット２から放射される光が通過する開口部４２０、すなわち、ＬＥＤ２００と対向して配置される開口部４２０が、傾斜角度θ２を有する第２面４２２２の中央に配置されている。開口部４２０は、下壁４２２をその厚み方向に貫通している。この場合、第２面４２２２と、ＬＥＤ２００が実装される実装基板２０１の一面とは、互いに平行であることが好ましい。言い換えると、第２面４２２２の傾斜角度θ２は、基部４１の一表面４１００に対する実装基板２０１の傾斜角度、すなわち、取付部材３の傾斜板３２の傾斜角度とおおむね一致するように設定されていることが好ましい。
【００７２】
このように第２面４２２２を第１面４２２１とは異なる角度で傾斜させていることにより、通路１００（図５参照）の幅方向に対する客席誘導灯１の照明範囲の拡大を図ることができる。特に、第２面４２２２の傾斜角度θ２を取付部材３の傾斜板３２の傾斜角度とおおむね一致させることで、より客席誘導灯１の照明範囲の拡大を図ることができる。
【００７３】
なお、端面４２２０全体を傾斜角度θ２で傾斜させてもよいが、これでは、器体４内において光源ユニット２の左右両脇にある機能部８及び非常用電源７を収容するための空間が狭くなってしまう。この点で、本実施形態のように、第１面４２２１の傾斜角度θ１を第２面４２２２の傾斜角度θ２よりも大きくしていることが望ましい。
【００７４】
右壁４２３、上壁４２４及び左壁４２５は、前壁４２１の右端、上端及び左端から、それぞれ、基部４１の底板４１０に向かって立ち上がるように形成されている。上壁４２４と下壁４２２とは、上下方向において互いに対向するように配置されていて、互いに同形（略台形の板状）で同寸法である。また、右壁４２３と左壁４２５とは、左右方向において互いに対向するように配置されていて、互いに同形（略台形の板状）で同寸法である。
【００７５】
右壁４２３及び左壁４２５の各々は、図１に示すように、固定ねじ４４，４４を挿通するための貫通孔４２６を有している。なお、図１では、右壁４２３の貫通孔４２６のみが図示されている。カバー４２は、その開口する後面を基部４１に向けながら基部４１に被せた後、固定ねじ４４，４４を右壁４２３及び左壁４２５の貫通孔４２６，４２６に挿通し、基部４１のねじ孔４１１０，４１２０にねじ込むことで基部４１に取り付けられる。
【００７６】
（２．７．４）器体の第１収容部〜第３収容部
以下、器体４内に収容されている、光源ユニット２、端子台６、電源装置５、非常用電源７及び機能部８の互いの位置関係に着目して説明する。なお、以下の説明では、器体４内における光源ユニット２及び端子台６を収容するための空間を「第１収容部４３１」とよぶ。また、器体４内における機能部８を収容するための空間を「第２収容部４３２」とよぶ。更に、器体４内における非常用電源７を収容するための空間を「第３収容部４３３」とよぶ。第１収容部４３１、第２収容部４３２及び第３収容部４３３は、実体を伴うものではなく、図２では、点線（想像線）でのみ示している。
【００７７】
まず、電源装置５は、光源ユニット２、非常用電源７等に比べて十分に外形寸法が大きいため、器体４内における略上半分の空間に収容されている。なお、電源装置５の左脇には、電線１２及びケーブル１４が配線されるための隙間が設けられている。
【００７８】
一方、第１収容部４３１、第２収容部４３２及び第３収容部４３３は、器体４内における略下半分の空間にある。第１収容部４３１は、床面１０３から離れる第１方向（鉛直上方向）に沿って互いに隣り合うように光源ユニット２及び端子台６を収容する。第１収容部４３１は、器体４内の略下半分の空間において、左右方向の中央に位置する。つまり、端子台６は、上下方向において、光源ユニット２と電源装置５の間に位置する。
【００７９】
第２収容部４３２及び第３収容部４３３は、基部４１の一表面４１００に直交する第２方向（前後方向）に沿って見たときに、第１方向及び第２方向に直交する第３方向（左右方向）における第１収容部４３１の両側に、それぞれ配置されている。本実施形態では、第２収容部４３２が第１収容部４３１の左側に位置し、第３収容部４３３が第１収容部４３１の右側に位置する。
【００８０】
このように光源ユニット２（及び端子台６）と機能部８と非常用電源７とが、左右方向に沿って一列に配置されるため、器体４内における省スペース化に貢献することができ、結果的には客席誘導灯１の小型化を図ることができる。更に配線回りについても改善することができる。
【００８１】
特に、光源ユニット２及び電源装置５に比べて外形寸法が小さい機能部８を収容するための第２収容部４３２が、第１収容部４３１の左側に位置している。そのため、電源装置５の左脇から送られてくる電線１２及びケーブル１４、並びに、電源装置５の下部における左端付近にある出力コネクタ５３から延び出る電線１１が通るスペースを第２収容部４３２の近傍において十分に確保することができる。
【００８２】
（３）変形例
以下に、いくつかの変形例について列記する。以下では上述した実施形態を「基本例」と呼ぶ。以下に説明する変形例も、上述した基本例と適宜組み合わせて適用可能である。
【００８３】
基本例では、支持部１０は、取付部材３の一部（傾斜板３２）によって構成されている。しかし、この限りではなく、支持部１０は、取付部材３とは別体となって形成されていてもよい。つまり、基部４１にねじ止め固定された別体の傾斜板（支持部１０）が、光源ユニット２と取付部材３との間に配置され、光源ユニット２は、当該別体の傾斜板（支持部１０）にねじ止めされていてもよい。
【００８４】
ただし、基本例のように支持部１０が取付部材３の一部（傾斜板３２）によって構成されている方が、部品点数を減らすことができる。更に、器体４内における省スペース化にも貢献することができ、客席誘導灯１の小型化を図ることができる。
【００８５】
あるいは、支持部１０は、例えば基部４１の底板４１０の一部を切り起こすことにより形成されていてもよい。この場合であれば、支持部１０が取付部材３の一部（傾斜板３２）によって構成されている基本例と同様に、部品点数を減らすことができる。
【００８６】
基本例では、機能部８は、２つの点検スイッチ（８１１，８１２）と２つの表示素子（８０１，８０２）とを有しているが、これらの数は特に限定されるものではない。例えば、機能部８は、第１表示素子８０１のみを有していてもよい。
【００８７】
基本例では、第１面４２２１の傾斜角度θ１と第２面４２２２の傾斜角度θ２とが、条件（９０＞θ１＞θ２［°］）を満たすように設定されている。しかしこれは単なる一例であり、逆に、９０＞θ２＞θ１［°］という条件が満たされるような構造が適用されてもよい。ただし、上述したように、機能部８及び非常用電源７を収容するための空間が狭くなってしまうという点を考慮すれば、基本例の条件（９０＞θ１＞θ２［°］）の方が望ましい。
【００８８】
また、第１面４２２１の傾斜角度θ１は、９０°以上であってもよい。ただし、傾斜角度θ１が９０°以上に設定されると、傾斜角度θ１と傾斜角度θ２との差が広がることになり、第２面４２２２の縁部分に光源ユニット２から放射される光が遮られる可能性がある。したがって、第１面４２２１の傾斜角度θ１は、９０°未満であることが望ましい。
【００８９】
（４）利点
以上説明したように、第１の態様に係る客席誘導灯１は、客席（例えば座席１０１）に設置される。客席誘導灯１は、光源ユニット２と支持部１０と器体４とを備える。光源ユニット２は、客席周辺の通路１００の床面１０３を照明する。支持部１０は、光源ユニット２を支持する。器体４は、光源ユニット２及び支持部１０を収容する。器体４は、支持部１０が一表面４１００に固定される基部４１と、光源ユニット２から放射される光が通過する開口部４２０を有して基部４１に取り付けられるカバー４２とを有する。光源ユニット２は、固体光源（ＬＥＤ２００）と、固体光源が実装される実装基板２０１とを有する。支持部１０は、実装基板２０１を基部４１の一表面４１００から離れるほど床面１０３から離れるように傾斜させて、光源ユニット２を支持する。第１の態様によれば、製造作業の作業性の向上と照明範囲の拡大を図ることができる。
【００９０】
第２の態様に係る客席誘導灯１は、第１の態様において、端子台６と電源装置５と取付部材３とを更に備えることが好ましい。この場合、端子台６は、外部電源（交流電源９）と電気的に接続される。電源装置５は、端子台６を介して上記外部電源から供給される電力により光源ユニット２を点灯する。取付部材３は、端子台６を基部４１に取り付ける。取付部材３は、その少なくとも一部が支持部１０として機能するように構成されていることが好ましい。第２の態様によれば、取付部材３と支持部１０とが互いに別体によって形成されている場合に比べて、部品点数を減らすことができる。更に、器体４内における省スペース化にも貢献することができ、客席誘導灯１の小型化を図ることができる。
【００９１】
第３の態様に係る客席誘導灯１に関して、第２の態様において、光源ユニット２と端子台６とは、床面１０３から離れる方向に沿って互いに隣り合うように配置されることが好ましい。取付部材３は、支持部１０として、光源ユニット２と端子台６との間に、基部４１の一表面４１００に対して傾斜した傾斜板３２を有していることが好ましい。光源ユニット２は、傾斜板３２の一面３２１に固定されていることが好ましい。第３の態様によれば、簡単な構造でありながらも、部品点数を減らすことができる。
【００９２】
第４の態様に係る客席誘導灯１は、第２の態様又は第３の態様において、非常用電源７と機能部８とを更に備えることが好ましい。この場合、非常用電源７は、非常時に光源ユニット２を点灯するための電力を供給する。機能部８は、操作入力を受け付けるための押釦スイッチ（８１１，８１２）及び表示用の光を発する表示素子（８０１，８０２）のうち少なくとも１つを有する。ここで、器体４は、第１収容部４３１と第２収容部４３２と第３収容部４３３とを有することが好ましい。第１収容部４３１は、床面１０３から離れる第１方向（鉛直上方向）に沿って互いに隣り合うように光源ユニット２及び端子台６を収容する。第２収容部４３２は、機能部８を収容する。第３収容部４３３は、非常用電源７を収容する。第２収容部４３２及び第３収容部４３３は、基部４１の一表面４１００に直交する第２方向（前後方向）に沿って見たときに、第１方向及び第２方向に直交する第３方向（左右方向）における第１収容部４３１の両側に、それぞれ配置されていることが好ましい。第４の態様によれば、非常用電源７と光源ユニット２（及び端子台６）と機能部８とが、第３方向に沿って一列に配置されるため、器体４内における省スペース化に貢献することができ、客席誘導灯１の小型化を図ることができる。更に配線回りについても改善することができる。
【００９３】
第５の態様に係る客席誘導灯１に関して、第１の態様〜第４の態様のいずれか１つにおいて、カバー４２は、床面１０３と対向する端面４２２０を有することが好ましい。この場合、端面４２２０は、第１面４２２１と、第１面４２２１よりも器体４の内側に配置される第２面４２２２と、を少なくとも含むことが好ましい。第２面４２２２は、基部４１の一表面４１００に対して第１面４２２１とは異なる角度で傾斜していることが好ましい。開口部４２０は、第２面４２２２に配置されていることが好ましい。第５の態様によれば、より効果的に照明範囲の拡大を図ることができる。
【００９４】
第６の態様に係る客席誘導灯１に関して、第５の態様において、第２面４２２２と固体光源（ＬＥＤ２００）が実装される実装基板２０１の一面とは、互いに平行であることが好ましい。第６の態様によれば、更に効果的に照明範囲の拡大を図ることができる。
【００９５】
第７の態様に係る客席誘導灯１に関して、第１の態様〜第６の態様のいずれか１つにおいて、固体光源（ＬＥＤ２００）は、表面実装型のパッケージ２０２を有し、パッケージ２０２が、実装基板２０１に実装されていることが好ましい。第７の態様によれば、特許文献１に記載のような砲弾型の複数のＬＥＤを実装基板２０１に実装する場合に比べて、製造作業の作業性の向上と照明範囲の拡大を図ることができる。また、更に、器体４内における省スペース化にも貢献することができる。
【符号の説明】
【００９６】
１  客席誘導灯
２  光源ユニット
２００  ＬＥＤ（固体光源）
２０１  実装基板
２０２  パッケージ
３  取付部材
３２  傾斜板
３２１  一面
４  器体
４１  基部
４１００  一表面
４２  カバー
４２０  開口部
４２２０  端面
４２２１  第１面
４２２２  第２面
４３１  第１収容部
４３２  第２収容部
４３３  第３収容部
５  電源装置
６  端子台
７  非常用電源
８  機能部
８０１  第１表示素子（表示素子）
８０２  第２表示素子（表示素子）
８１１  第１点検スイッチ（押釦スイッチ）
８１２  第２点検スイッチ（押釦スイッチ）
９  交流電源（外部電源）
１０  支持部
１０３  床面
【図１】
2018160351.tif 000003
【図２】
2018160351.tif 000004
【図３】
2018160351.tif 000005
【図４】
2018160351.tif 000006
【図５】
2018160351.tif 000007